【手続補正書】
【提出日】平成17年3月2日(2005.3.2)
【手続補正１】
【補正対象書類名】明細書
【補正対象項目名】発明の名称
【補正方法】変更
【補正の内容】
【発明の名称】スポット接合システム、構体およびスポット接合ヘッド
【手続補正２】
【補正対象書類名】明細書
【補正対象項目名】特許請求の範囲
【補正方法】変更
【補正の内容】
【特許請求の範囲】
【請求項１】
複数の被接合材を重ね合わせてスポット接合するスポット接合システムであって、
前記被接合材が載置される定盤と、
該定盤を跨ぐように配設される門型フレームと、
前記門型フレームに装着され、前記定盤に載置された前記被接合材を摩擦攪拌スポット接合するスポット接合ヘッドと、
前記被接合材を所定の送り方向に移動させる移動手段と、
前記定盤の入口側および出口側の両側において前記被接合材を案内する載置台とを備えることを特徴とするスポット接合システム。
【請求項２】
前記被接合材は、曲面状部分を有する板材であり、
前記定盤および載置台は、前記被接合材の曲面状部分に対応する曲面形状の支持部分を有することを特徴とする請求項１に記載のスポット接合システム。
【請求項３】
前記スポット接合ヘッドは、前記被接合材の送り方向に直交する方向に横行自在でかつ傾動自在であり、上下方向に昇降自在に構成され、
前記門型フレームは、前記被接合材の送り方向に移動自在であることを特徴とする請求項１または２に記載のスポット接合システム。
【請求項４】
前記移動手段は、前記定盤あるいは載置台に載置される被接合材の端部を把持し所定ピッチの送り動作を行うものであることを特徴とする請求項１〜３のいずれかに記載のスポット接合システム。
【請求項５】
曲面状部分を有する複数の被接合材を重ね合わせてスポット接合するスポット接合システムであって、
前記被接合材の曲面状部分に対応する曲面形状の支持部分を有し前記被接合材が載置される定盤と、
該定盤を跨ぐように配設される門型フレームと、
前記門型フレームに装着され、前記定盤に載置された被接合材を摩擦攪拌スポット接合するスポット接合ヘッドと、
前記被接合材を所定の送り方向に移動させる移動手段と、
前記被接合材の曲面状部分に対応する曲面形状の支持部分を有し前記定盤の入口側および出口側の両側において前記被接合材を案内する載置台とを備え、
前記スポット接合ヘッドが、前記被接合材の送り方向に直交する方向に横行自在でかつ傾動自在であり、上下方向に昇降自在に構成される一方、前記門型フレームが定位置に固定されていることを特徴とするスポット接合システム。
【請求項６】
複数の被接合材を重ね合わせてスポット接合するスポット接合システムであって、
前記被接合材が載置される定盤と、
該定盤を跨ぐように配設される門型フレームと、
前記門型フレームに装着され、前記定盤に載置された被接合材を摩擦攪拌スポット接合するスポット接合ヘッドとを備え、
前記スポット接合ヘッドが、前記被接合材の送り方向に直交する方向に横行自在でかつ傾動自在であり、上下方向に昇降自在に構成される一方、前記門型フレームが前記被接合材の長手方向に移動自在に構成されていることを特徴とするスポット接合システム。
【請求項７】
請求項１〜６のいずれかに記載のスポット接合システムにより製造されることを特徴とする構体。
【請求項８】
スポット接合される側の面を内面とし、前記定盤に載置される側の面を外面として使用することを特徴とする請求項７に記載の構体。
【請求項９】
定盤上に複数の被接合材を重ね合わせて載置し、前記定盤を跨ぐように門型フレームを配設し、この門型フレームに装着され前記被接合材を摩擦撹拌スポット接合するスポット接合ヘッドであって、
前記スポット接合を行うスポット接合ツールである回転工具と、この回転工具を回転させるモータとを備え、
前記門型フレームに上下方向にスライド可能に取り付けられるとともに、サーボモータにより下向きに移動して前記回転工具の押付け力を設定する構成とされ、
さらに、前記被接合材の長手方向に直交する方向に横行自在でかつ傾動自在であることを特徴とするスポット接合ヘッド。
【手続補正３】
【補正対象書類名】明細書
【補正対象項目名】０００１
【補正方法】変更
【補正の内容】
【０００１】
【発明の属する技術分野】
本発明は、複数の被接合材を重ね合わせて摩擦攪拌方式のスポット接合（摩擦攪拌スポット接合）を行うスポット接合システム、該システムにより製造される構体、およびスポット接合ヘッドであって、特に曲面状部分を有する長尺の板材（被接合材）を接合するスポット接合システム、該システムにより製造される構体およびスポット接合ヘッドに関する。
【手続補正４】
【補正対象書類名】明細書
【補正対象項目名】０００６
【補正方法】変更
【補正の内容】
【０００６】
本発明の目的は、複数の被接合材を重ね合わせてスポット接合する際に、大容量の電力を必要とせず、消耗品が発生しない摩擦攪拌方式のスポット接合方法を採用することで、連続的かつ自動的に接合することができるスポット接合システム、該システムにより製造される構体およびスポット接合ヘッドを提供することである。
【手続補正５】
【補正対象書類名】明細書
【補正対象項目名】００１２
【補正方法】変更
【補正の内容】
【００１２】
上記の構成を有する請求項３の発明によれば、被接合材を移動手段により移動させることができると共に、門型フレームが移動することでスポット接合ヘッド自体を前記被接合材の移動方向（長手方向）と同一方向に移動させることができる。よって、門型フレームの移動範囲に限定されず、長さの短い被接合材から長さの長い被接合材まで、被接合材の長さにかかわりなく、スポット接合が可能となる。
【手続補正６】
【補正対象書類名】明細書
【補正対象項目名】００１７
【補正方法】変更
【補正の内容】
【００１７】
請求項６の発明は、複数の被接合材を重ね合わせてスポット接合するスポット接合システムであって、前記被接合材が載置される定盤と、該定盤を跨ぐように配設される門型フレームと、前記門型フレームに装着され、前記定盤に載置された被接合材を摩擦攪拌スポット接合するスポット接合ヘッドとを備え、前記スポット接合ヘッドが、前記被接合材の長手方向に直交する方向に横行自在でかつ傾動自在であり、上下方向に昇降自在に構成される一方、前記門型フレームが前記被接合材の送り方向に移動自在に構成されていることを特徴とする。
【手続補正７】
【補正対象書類名】明細書
【補正対象項目名】００２１
【補正方法】変更
【補正の内容】
【００２１】
上記の構成を有する請求項８の発明によれば、自動車や電車等の長い車両構体の外面として使用可能なフラットな面を有する構体を、連続的に摩擦攪拌スポット接合により生産することができる。
請求項９の発明は、定盤上に複数の被接合材を重ね合わせて載置し、前記定盤を跨ぐように門型フレームを配設し、この門型フレームに装着され前記被接合材を摩擦撹拌スポット接合するスポット接合ヘッドであって、前記スポット接合を行うスポット接合ツールである回転工具と、この回転工具を回転させるモータとを備え、前記門型フレームに上下方向にスライド可能に取り付けられるとともに、サーボモータにより下向きに移動して前記回転工具の押付け力を設定する構成とされ、さらに、前記被接合材の長手方向に直交する方向に横行自在でかつ傾動自在であることを特徴とする。
上記の構成を有する請求項９の発明によれば、門型フレームに装着されたスポット接合ヘッドによって、安定して摩擦攪拌スポット接合することができる。
【手続補正８】
【補正対象書類名】明細書
【補正対象項目名】００５９
【補正方法】変更
【補正の内容】
【００５９】
請求項８の発明によれば、本発明のスポット接合システムによりスポット接合される側の面を内面（裏面）とし、定盤に載置される側の面を外面として使用する構体としたので、自動車や電車等の長い車両構体の外面として使用可能な面を有する構体を、スポット接合により生産することが可能となる。
請求項９の発明によれば、門型フレームに装着されたスポット接合ヘッドによって、安定して摩擦攪拌スポット接合することができる。